(57)【要約】      （修正有）【課題】キャディバッグの底板部に回転、あるいは移動自由な鉄製の羽板と該羽板を該底板部に固定する磁石からなる構造のキャディバッグで、該バッグを自立して使用するときに、該羽板を回転、あるいは引き出して、該バッグの転倒を防止するようにした、転倒防止装置付きのキャディバッグを提供する。【解決手段】通常のキャディバッグの底部３ａに複数枚の回転可能な羽板６ａと該羽板を固定する磁石板４ａを設け、通常時は該羽板が該磁石に磁着し収納されている。該バッグを自立して使用する時は、該羽板を該磁石板から離して、サドルバンド８によって支持された回転用丸棒７を支点として該羽板を回転展開して、該バッグの転倒を防止する。【選択図】図１
0003123946.tif 000002
【実用新案登録請求の範囲】
【請求項１】
ゴルフ用キャディバッグの底板部に回転、あるいは移動自由な鉄製の羽板と該羽板を該底板部に固定する磁石からなるキャディバッグで、該バッグを自立して使用する時に、前記羽板を回転、あるいは引き出した状態で前記磁石から離脱させて、転倒防止できるキャディバッグ。
【考案の詳細な説明】
【技術分野】
【０００１】本考案は，ゴルフ用キャディバッグの転倒を防止するための転倒防止装置付きのキャディバッグ。
【背景技術】
【０００２】現在は，転倒防止装置付きキャディバッグとしては、セルフプレイ用のスタンド付きのものはあるが，通常のキャディバッグでは転倒防止装置付きのものはない。
【考案の開示】
【考案が解決しようとする課題】
【０００３】本考案は，主にゴルフ練習場において、キャディバッグを練習場に設備してあるバッグ立て掛け装置に立て掛ける場合、該バッグ内に１０数本のクラブを入れることにより，重心がバッグの上方に移動する。そのため、不安定になり、バッグが転倒したり、ズリ落ちたりすることがしばしばある。また、バッグ立てかけ装置のない練習場もある。さらにゴルフクラブハウス内または、出入り口でバッグを立て掛けることがよくあるが、クラブが入った該バッグの重心が高いことに加えて、該バッグの左右、前後に装備している収納ポケットには、ゴルフボールや雨具などが不均衡に入っているため、非常に転倒しやすい構造になっている。【０００４】キャディバッグを安定的に自立させるために、該バッグの底部の直径を大きくすれば、解決するが、そのようにすると、該バッグの幅が広くなり、４人用のキャディカーに４人分のキャディバッグを搭載することができないという弊害が生じる。
【課題を解決するための手段】
【０００５】このため、請求項１にあるように、キャディバッグの底板部に回転、あるいは移動自由な鉄製の羽板と該羽板を該底板部に固定する磁石からなる構造のキャディバッグで、該バッグを自立して使用するときに、該羽板を回転、あるいは引き出して、該バッグの転倒を防止するようにした、転倒防止装置付きのキャディバッグを提供する。【０００６】請求項１のうち、まず、キャディバッグの底板部に複数の鉄製の羽板を設け、さらに該底板部の中心部に磁石板を設け、通常時は該羽板が該磁石板に磁着された形で収納されている。【０００７】該羽板は展開型になっており、使用するときは該羽板を該磁石板から離して拡げ、該バッグの転倒を防止する。【０００８】あるいは、キャディバッグの底板部を二重構造にし、該底板内に複数の鉄製の羽板を設け、該羽板の一方はカギ型になっている羽板引き出し型で、該羽板を該底板内に挿入するような構造になっており、さらに該底板部の縁端部外周の一部に該羽板の位置に対応した箇所に磁石を埋め込んで該磁石を接着剤等で固定する。【０００９】収納するときは、該羽板を該二重底内に挿入し、該羽板のカギ型部を該磁石に磁着させる。【００１０】使用する時は、該羽板を引き出して、キャディバッグの転倒を防止する。【００１１】あるいは、キャディバッグ底板の縁端リング部の外周にリング部と同じ曲線半径を持つ鉄製の羽板を複数枚設け、該羽板を該リング部にヒンジ止めする。【００１２】該リングに、該羽板に対応した数の磁石を埋め込み、接着剤等で固定する。
あるいは、雄、雌の留め金を該羽板、該リングに設けて固定する。【００１３】使用する時は、該羽板を該磁石または、該留め金から外して拡げて、キャディバッグの転倒を防止する。
【考案の効果】
【００１４】本考案の転倒防止装置は、キャディバッグ固有の構造と機能が生かされ、該バッグを安定的に自立させることが出来るものである。また、該バッグにゴルフクラブを入れると重心が該バッグの上部に移動するため、手運搬するとき頭部が下方に下がり、運びづらいことがある。該装置を該バッグ底部に取り付けることにより、該装置がバランサーの役目を果たし、手運搬を安定的に行うことが出来るメリットがある。
【考案を実施するための最良の形態】
【００１５】以下，本考案を実施するための最良の形態を，図面を参照しながら，具体的に説明する。図１は、展開型羽板と磁石板を設けた実施例の底平面図である。底板３ａの中央部に磁石板４ａをボルト５などで固定する。固定する方法はボルトに限定するものではない。その他の方法として、リベットや接着剤などで固定する方法がある。
磁石板４ａと底板縁端リング部１ａの中間に回転棒７を有する羽板６ａをサドルバンド８とボルト９を用いて底板３ａに固定する。該羽板を該底板に固定する方法はサドルバンドやボルトに限定するものではない。
その他の固定方法としては、該底板に回転棒７を挿入することが出来る凸部を設ける方法、またサドルバンドはリベットや接着剤などで固定する方法がある。
底板縁端リング部１ａに羽板６ａに対応した部分を切り欠き、該羽板が収まる切欠口２を設ける。本実施例では該リングを底板の外周部全体に設けたが、本実施例に限定するものではない。
その他の方法としては、該リングを不連続とし必要な箇所にのみ設けてもよい。
展開された羽板６ａが切欠口２とサドルバンド８によって支持され、キャディバッグの転倒を防止する。本実施例では、羽板の数が６枚であるが、６枚に限定するものではない。【００１６】図２は、羽板６ａが底板３ａに収納された状況を示す底平面図である。前記で展開された該羽板は該羽板に取り付けた回転用丸棒７を支点として回転され、該羽板を該底板の中心部に設けられた磁石板４ａに磁着して収納される。【００１７】図３は、図１のＡ−Ａの切断断面図で、羽板６ａが丸棒７を支点として回転し、該羽板を拡げた図である。底板３ａにテーパーがついているが、本実施例に限定するものではない。その他の方法としては該底板を水平にしてもよい。【００１８】図４は図２のＢ−Ｂの切断断面図で羽板６ａが磁石板４ａに磁着された図である。【００１９】図５は羽板展開型の羽板６ａを収納したときの該羽板固定部と該羽板、磁石板４ａの部分拡大側面図である。【００２０】図６は羽板展開型の転倒防止装置付きキャディバッグの使用状況図である。【００２１】図７は、引き出し型羽板の実施例で、羽板６ｂと底板縁端リング部１ｂに設けた磁石と該羽板のストッパー１０からなる構造の底平面図で該羽板を底板内部から引き出したときの底平面図である。【００２２】図８は羽板６ｂを底板内部に収納したときの底平面図である。
その構造については、以下で説明する。【００２３】図９は図７のＣ−Ｃの切断断面図で底部の平板を底板３ｂと中底板１１からなる２重構造とし、羽板６ｂを収納する空間１２を設ける。該羽板を引き出したとき、図７にあるストッパー１０によって固定された図である。該ストッパーの形状については、本実施例に限定するものではない。その他の形状としては、該ストッパーを部分的に設けてもよい。
該羽板は、前記の空間内１２に差し入れる構造とし、該空間側の該羽板の先端をＴ字型にし、該羽板を引き出したとき該先端部が、前記ストッパー１０により固定される構造とする。
該羽板の一方の先端部はカギ型にし、該カギ部は該羽板を収納するときは磁石４ｂに磁着し、引き出したときは地面に着地し、キャディバッグの転倒を防止する。【００２４】図１０は羽板引き出し型の転倒防止付きキャディバッグの使用状況図である。【００２５】図１１は、ハネ出し型羽板６ｃを拡げた時の底平面図である。
その構造については以下で説明する。【００２６】羽板６ｃを底部縁端リング部１ｃに該リングと同じ曲線半径を持つ該羽板を、ヒンジ１３で取り付け、使用する時は該羽板を磁石４ｃから離して拡げ、キャディバッグの転倒を防止するものである。
羽板６ｃを収納するときは、ヒンジ１３を支点として該羽板を回転し、磁石４ｃに磁着させ固定する。固定する方法は本実施例に限定するものではない。また該羽板は鉄製に限定するものではない。
その他の方法としては、雄、雌の留め金などで固定する方法がある。また羽板の材質として合成樹脂などがある。また支点についてもヒンジに限定するものではない。
その他の方法として、蝶番などを使ってもよい。【００２７】図１２は羽板６ｃを収納した状況を示す底平面図である。また、該羽板の操作方法については、本実施例では該羽板を１枚ずつ直接操作するものであるが、これは設計上の問題である。その他の方法としては例えば、各羽板をワイヤーなどで連結して、該ワイヤーを留め金具などで固定し、該金具の操作によってワンタッチで該羽板を開閉する方法などがある。【００２８】図１３は図１２のうちの１枚の羽板部分の正面図である。【００２９】図１４は羽板ハネ出し型の転倒防止装置付きキャディバッグの使用状況図である。
【図面の簡単な説明】
【００３０】
【図１】本考案の実施例を示す、羽板展開型の羽板を拡げたときの底平面図である。
【図２】本考案の実施例を示す、羽板展開型の羽板を収納したときの底平面図である。
【図３】図１のＡ−Ａの切断断面図である。
【図４】図２のＢ−Ｂの切断断面図である。
【図５】羽板展開型の羽板を収納したときの羽板固定部と羽板、磁石板の部分拡大側面図である。
【図６】羽板展開型転倒防止付きキャディバッグの使用状況図である。
【図７】他の実施例の羽板を拡げたときの底平面図である。
【図８】他の実施例の羽板を収納したときの底平面図である。
【図９】図７のＣ−Ｃの切断断面図である。
【図１０】他の実施例の使用状況図である。
【図１１】他の実施例の羽板を拡げたときの底平面図である。
【図１２】他の実施例の羽板を収納したときの底平面図である。
【図１３】図１２のうちの１枚の羽板部分の正面図である。
【図１４】他の実施例の使用状況図である。
【符号の説明】
【００３１】  １ａ  羽板展開型の縁端リング部
１ｂ  羽板引出し型の縁端リング部
１ｃ  羽板ハネ出し型の縁端リング部
２    羽板展開型の縁端リング部の切欠口
３ａ  羽板展開型の底板部
３ｂ  羽板引出し型の底板部
３ｃ  羽板ハネ出し型の底板部
４ａ  羽板展開型用磁石板
４ｂ  羽板引出し型用磁石
４ｃ  羽板ハネ出し型用磁石
５    羽板展開型の磁石固定金具
６ａ  羽板展開型の羽板
６ｂ  羽板引出し型の羽板
６ｃ  羽板ハネ出し型の羽板
７    羽板展開型の羽板回転用丸棒
８    羽板展開型の羽板固定用サドルバンド
９    サドルバンド固定用ボルト
１０    羽板引出し型の羽板ストッパー
１１    羽板引出し型の中底板
１２    羽板引出し型の羽板収納室
１３    羽板ハネ出し型用羽板を底板縁端リング部に固定するヒンジ
【図１】
0003123946.tif 000003
【図２】
0003123946.tif 000004
【図３】
0003123946.tif 000005
【図４】
0003123946.tif 000006
【図５】
0003123946.tif 000007
【図６】
0003123946.tif 000008
【図７】
0003123946.tif 000009
【図８】
0003123946.tif 000010
【図９】
0003123946.tif 000011
【図１０】
0003123946.tif 000012
【図１１】
0003123946.tif 000013
【図１２】
0003123946.tif 000014
【図１３】
0003123946.tif 000015
【図１４】
0003123946.tif 000016